(57)【要約】【課題】蓄電池の非接続の角型の極柱に被せ付けて絶縁する角型極柱キャップの提供。【解決手段】角型極柱キャップＣ１は全体が絶縁性及び機械的特性を有する素材により角型の極柱の外形に沿って僅かに遊びをもって外嵌可能に、一端に開口２０を有し、内部に角型の中空部１２０を有するケース状に形成されて、先端面カバー部１と周囲カバー部２とを備え、周囲カバー部２の内面の任意の位置に線状の凸状部２１を有し、このキャップＣ１を角型の極柱Ｔに被せ、周囲カバー部２内面の線状の凸状部２１を極柱Ｔの周囲に圧接させて周囲カバー部２を固定し、角型の極柱Ｔを被覆絶縁する。【選択図】図２
2020035570.tif 000002
【特許請求の範囲】
【請求項１】
各種の蓄電池に設けられる角型の極柱に被覆して、前記角型の極柱を絶縁する角型極柱キャップであって、
全体が、絶縁性及び機械的特性を有する素材により、前記角型の極柱の外形に沿って僅かに遊びをもって外嵌可能に、一端に開口を有し、内部に角型の中空部を有するケース形状に形成されて、
前記角型の極柱の先端面を被覆する先端面カバー部と、
前記角型の極柱の周囲を被覆する周囲カバー部と、
を備え、
前記周囲カバー部の内面の任意の位置に前記一端の開口側から他端に向けて形成され、前記角型の極柱の周囲に圧接可能な線状の凸状部又は複数の点状の突起を有し、
前記角型の極柱に前記先端面カバー部及び前記周囲カバー部を被せ、前記周囲カバー部内面の前記線状の凸状部又は前記複数の点状の突起を前記角型の極柱の周囲に圧接させて前記周囲カバー部を固定し、前記角型の極柱を被覆絶縁する、
ことを特徴とする角型極柱キャップ。
【請求項２】
素材は色付きとし、黒、青、赤以外の色とする請求項１に記載の角型極柱キャップ。
【請求項３】
線状の凸状部又は複数の点状の突起は周囲カバー部の内面をなす各面毎に１列ずつ又は２列ずつ設けられる請求項１又は２に記載の角型極柱キャップ。
【請求項４】
周囲カバー部の相互に対向する部分の外面にそれぞれ、凹凸形状部を有する請求項１乃至３のいずれかに記載の角型極柱キャップ。
【請求項５】
先端面カバー部の外面の中心に、一対のフック形状部が相互の間にスリットを介して形成され、前記各フック形状部に、両端に当該各フック形状部に係止可能なリングを有し、２つの角型極柱キャップを連結するための絶縁性及び伸縮性を有するコードが取り付けられる請求項１乃至４のいずれかに記載の角型極柱キャップ。
【請求項６】
各種の蓄電池に設けられる大きさの異なる大小の角型の極柱に被覆して、前記角型の極柱を絶縁する角型極柱キャップであって、
全体が、絶縁性及び機械的特性を有する素材により、前記大きさの異なる大小の角型の極柱のうち、大きい角型の極柱の外形に沿って僅かに遊びをもって外嵌可能に、一端に大きい開口を有し、内部に大きい角型の中空部を有する大きいケース形状と、前記大きいケース形状に対して交差して、前記大きさの異なる大小の角型の極柱のうち、小さい角型の極柱の外形に沿って僅かに遊びをもって外嵌可能に、一端に小さい開口を有し、内部に小さい角型の中空部を有する小さいケース形状の複合形状に形成されて、
前記大きい角型の極柱の先端面と前記小さい角型の極柱の先端面とを各別に被覆する大きい先端面カバー部と小さい先端面カバー部とからなる複合形状の先端面カバー部と、
前記大きい角型の極柱の周囲と前記小さい角型の極柱の周囲とを各別に被覆する大きい周囲カバー部と小さい周囲カバー部とからなる複合形状の周囲カバー部と、
を備え、
前記複合形状の周囲カバー部の少なくとも前記大きい周囲カバー部と前記小さい周囲カバー部との交差部の内面角部に前記一端の開口側から他端に向けて形成され、前記角型の極柱の周囲に圧接可能な線状の凸状部又は複数の点状の突起を有し、
前記複合形状の先端面カバー部及び周囲カバーは選択的に使用され、
前記大きい角型の極柱に対しては前記大きい先端面カバー部及び前記大きい周囲カバー部を被せ、前記複合形状の周囲カバー部内面の前記線状の凸状部又は前記複数の点状の突起を前記大きい角型の極柱の周囲に圧接させて前記大きい周囲カバー部を固定し、前記大きい角型の極柱を被覆絶縁し、
前記小さい角型の極柱に対しては前記小さい先端面カバー部及び前記小さい周囲カバー部を被せ、前記複合形状の周囲カバー部内面の前記線状の凸状部又は前記複数の点状の突起を前記小さい角型の極柱の周囲に圧接させて前記小さい周囲カバー部を固定し、前記小さい角型の極柱を被覆絶縁する、
ことを特徴とする角型極柱キャップ。
【請求項７】
素材は色付きとし、黒、青、赤以外の色とする請求項６に記載の角型極柱キャップ。
【請求項８】
線状の凸状部又は複数の点状の突起はさらに複合形状の周囲カバー部の内面をなす一部又は全部の面に１列又は２列ずつ設けられる請求項６又は７に記載の角型極柱キャップ。
【請求項９】
複合形状の周囲カバー部の相互に対向する部分の外面にそれぞれ、凹凸形状部を有する請求項６乃至８のいずれかに記載の角型極柱キャップ。
【請求項１０】
複合形状の先端面カバー部の外面の中心に、一対のフック形状部が相互の間にスリットを介して形成され、前記各フック形状部に、両端に当該各フック形状部に係止可能なリングを有し、２つの角型極柱キャップを連結するための絶縁性及び伸縮性を有するコードが取り付けられる請求項６乃至９のいずれかに記載の角型極柱キャップ。
【発明の詳細な説明】
【技術分野】
【０００１】
本発明は、電話局、通信基地局その他各種の施設にバックアップ用電源として設置される蓄電池の角型の極柱（電極端子）に使用する角型極柱キャップに関する。
【背景技術】
【０００２】
電話局や通信基地局などの重要施設には、地震その他の災害により、商用電源からの電力供給が停止された場合に、電力供給をできる限り長く持続させるため、バックアップ用電源として数多くの蓄電池が設置されている。特に電話局や通信基地局では、数百個もの蓄電池がラックや架台などに縦横に並べて設置され、必要とされる蓄電容量により、多数の蓄電池がそれぞれ、縦方向又は横方向に隣接する各蓄電池の正極端子と負極端子を導電板により電気的に接続されて、直列に接続される。
このような蓄電池の接続状態が特許文献１に記載されている。この文献１は据置鉛蓄電池の性能改善方法に関するもので、そこに例示された据置鉛蓄電池の構成を図７及び図８に示している。
この据置鉛蓄電池では、図７に示すように、複数の鉛蓄電池６１が架台に縦横に並べて搭載され、縦又は横に隣接する各鉛蓄電池６１の電極端子６２間が導電板６３により接続されて電気的に導通され、全体として直列に連結される。この場合、鉛蓄電池６１の各電極端子６２は軸心に雌ねじを有し、鉛蓄電池６１の上面に埋設され、電極端子６２の先端が上面から突出される。また、各導電板６３は、両端にボルト挿通孔を有し、隣接する各鉛蓄電池６１の電極端子６２間に架け渡され、導電板６３の各ボルト挿通孔からボルトが通され各電極端子の雌ねじに締結されて取り付けられる。なお、これら導電板６３の表面には端子カバー６４が被せられる。
また、この据置鉛蓄電池においては、図８に示すように、非接続の電極端子６２に絶縁体６５を被せて、短絡、感電防止のための養生が行われている。
【先行技術文献】
【特許文献】
【０００３】
【特許文献１】特開２０１４−１７５３０２号公報
【特許文献２】特開２０１８−０９７９９７号公報
【発明の概要】
【発明が解決しようとする課題】
【０００４】
ところで、このような多数の蓄電池を設置された施設では、蓄電池の非接続の極柱、つまり、導電板が接続されていない極柱はむき出しのままで絶縁されていないことが多く、このままでは、蓄電池の取り付けや交換などこの施設での各種の作業の際に、不意に、工具などが正極の極柱と負極の極柱との間に触れて、短絡の危険性がある、という問題がある。
また、上記従来（特許文献１）の据置鉛蓄電池においては、電極端子の上にケース状の絶縁体（以下、絶縁ケースという。）を被せて、短絡、感電防止のための養生が行われているが、数百個もの蓄電池が設置される施設では、すべての蓄電池が同一メーカーの同一仕様のものばかりでなく、異なるメーカーの異なる仕様のものが混在されており、丸型の極柱が多い中で、角型の極柱も存在し、それも横断面（蓄電池の天面と平行な断面）の面積が異なる大小の極柱があり、これらの極柱に絶縁ケースを被せ付けようとすると、各種の極柱の大きさに応じて、異なる大きさの絶縁ケースが必要で、非接続の極柱への絶縁ケースの取り付けや絶縁ケースの管理が煩雑になって容易ではない、という問題がある。なお、丸型の極柱に関しては、本願発明者が先の出願（特許文献２）で既に解決済みであり、ここでは角型の極柱に関してのみ問題とする。
さらに、数多くの蓄電池になると、極柱間の接続作業も多いため、極柱間の接続に当たって、誤った極柱間に導電板を取り付けてしまうといった接続ミスの恐れもある、という問題がある。なお、丸型の極柱に関しては、本願発明者が先の出願（特許文献２）で既に解決済みであり、ここでは角型の極柱に関してのみ問題とする。
【０００５】
本発明は、このような従来の問題を解決するもので、蓄電池を設置された施設において、蓄電池の非接続の角型の極柱に被せ付けて、非接続の角型の極柱の短絡、感電を防止する角型極柱キャップを提供すること、また、この角型極柱キャップを横断面の大きさが異なる大小の極柱に共通に使用できるようにして、角型極柱キャップの角型の極柱への取り付けや管理を簡易にすること、さらに、この角型極柱キャップを利用して適切な角型の極柱間の接続を事前に示し、角型の極柱間の接続ミスを防止すること、を目的とする。
【課題を解決するための手段】
【０００６】
上記目的を達成するために、本発明（１）の角型極柱キャップは、
各種の蓄電池に設けられる角型の極柱に被覆して、前記角型の極柱を絶縁する角型極柱キャップであって、
全体が、絶縁性及び機械的特性を有する素材により、前記角型の極柱の外形に沿って僅かに遊びをもって外嵌可能に、一端に開口を有し、内部に角型の中空部を有するケース形状に形成されて、
前記角型の極柱の先端面を被覆する先端面カバー部と、
前記角型の極柱の周囲を被覆する周囲カバー部と、
を備え、
前記周囲カバー部の内面の任意の位置に前記一端の開口側から他端に向けて形成され、前記角型の極柱の周囲に圧接可能な線状の凸状部又は複数の点状の突起を有し、
前記角型の極柱に前記先端面カバー部及び前記周囲カバー部を被せ、前記周囲カバー部内面の前記線状の凸状部又は前記複数の点状の突起を前記角型の極柱の周囲に圧接させて前記周囲カバー部を固定し、前記角型の極柱を被覆絶縁する、
ことを要旨とする。
また、この角型極柱キャップは各部が次のように構成されることが好ましい。
（１）素材は色付きとし、黒、青、赤以外の色とする。
（２）線状の凸状部又は複数の点状の突起は周囲カバー部の内面をなす各面毎に１列ずつ又は２列ずつ設けられる。
（３）周囲カバー部の相互に対向する部分の外面にそれぞれ、凹凸形状部を有する。
（４）先端面カバー部の外面の中心に、一対のフック形状部が相互の間にスリットを介して形成され、前記各フック形状部に、両端に当該各フック形状部に係止可能なリングを有し、２つの角型極柱キャップを連結するための絶縁性及び伸縮性を有するコードが取り付けられる。
【０００７】
また、上記目的を達成するために、本発明（２）の角型極柱キャップは、
各種の蓄電池に設けられる大きさの異なる大小の角型の極柱に被覆して、前記角型の極柱を絶縁する角型極柱キャップであって、
全体が、絶縁性及び機械的特性を有する素材により、前記大きさの異なる大小の角型の極柱のうち、大きい角型の極柱の外形に沿って僅かに遊びをもって外嵌可能に、一端に大きい開口を有し、内部に大きい角型の中空部を有する大きいケース形状と、前記大きいケース形状に対して交差して、前記大きさの異なる大小の角型の極柱のうち、小さい角型の極柱の外形に沿って僅かに遊びをもって外嵌可能に、一端に小さい開口を有し、内部に小さい角型の中空部を有する小さいケース形状の複合形状に形成されて、
前記大きい角型の極柱の先端面と前記小さい角型の極柱の先端面とを各別に被覆する大きい先端面カバー部と小さい先端面カバー部とからなる複合形状の先端面カバー部と、
前記大きい角型の極柱の周囲と前記小さい角型の極柱の周囲とを各別に被覆する大きい周囲カバー部と小さい周囲カバー部とからなる複合形状の周囲カバー部と、
を備え、
前記複合形状の周囲カバー部の少なくとも前記大きい周囲カバー部と前記小さい周囲カバー部との交差部の内面角部に前記一端の開口側から他端に向けて形成され、前記角型の極柱の周囲に圧接可能な線状の凸状部又は複数の点状の突起を有し、
前記複合形状の先端面カバー部及び周囲カバーは選択的に使用され、
前記大きい角型の極柱に対しては前記大きい先端面カバー部及び前記大きい周囲カバー部を被せ、前記複合形状の周囲カバー部内面の前記線状の凸状部又は前記複数の点状の突起を前記大きい角型の極柱の周囲に圧接させて前記大きい周囲カバー部を固定し、前記大きい角型の極柱を被覆絶縁し、
前記小さい角型の極柱に対しては前記小さい先端面カバー部及び前記小さい周囲カバー部を被せ、前記複合形状の周囲カバー部内面の前記線状の凸状部又は前記複数の点状の突起を前記小さい角型の極柱の周囲に圧接させて前記小さい周囲カバー部を固定し、前記小さい角型の極柱を被覆絶縁する、
ことを要旨とする。
また、この角型極柱キャップは各部が次のように構成されることが好ましい。
（１）素材は色付きとし、黒、青、赤以外の色とする。
（２）線状の凸状部又は複数の点状の突起はさらに複合形状の周囲カバー部の内面をなす一部又は全部の面に１列又は２列ずつ設けられる。
（３）複合形状の周囲カバー部の相互に対向する部分の外面にそれぞれ、凹凸形状部を有する。
（４）複合形状の先端面カバー部の外面の中心に、一対のフック形状部が相互の間にスリットを介して形成され、前記各フック形状部に、両端に当該各フック形状部に係止可能なリングを有し、２つの角型極柱キャップを連結するための絶縁性及び伸縮性を有するコードが取り付けられる。
【発明の効果】
【０００８】
本発明（１）の角型極柱キャップによれば、上記の構成により、角型の極柱に先端面カバー部及び周囲カバー部を被せ、周囲カバー部内面の線状の凸状部又は複数の点状の突起を角型の極柱の周囲に圧接させて周囲カバー部を固定し、角型の極柱を被覆絶縁するので、蓄電池を設置された施設において、蓄電池の非接続の角型の極柱に被せ付けて、非接続の極柱の短絡、感電を防止することができ、また、この角型極柱キャップを２つ絶縁性及び伸縮性を有するコードで繋いでおくことにより、この２つの角型極柱キャップを利用して適切な極柱間の接続を事前に示し、角型の極柱間の接続ミスを防止することができる、という本発明独自の格別な効果を奏する。
本発明（２）の角型極柱キャップによれば、上記の構成により、複合形状の先端面カバー部及び周囲カバーを選択的に使用し、大きい角型の極柱に対しては大きい先端面カバー部及び大きい周囲カバー部を被せ、複合形状の周囲カバー部内面の線状の凸状部又は複数の点状の突起を大きい角型の極柱の周囲に圧接させて大きい周囲カバー部を固定し、大きい角型の極柱を被覆絶縁し、小さい角型の極柱に対しては小さい先端面カバー部及び小さい周囲カバー部を被せ、複合形状の周囲カバー部内面の線状の凸状部又は複数の点状の突起を前記小さい角型の極柱の周囲に圧接させて小さい周囲カバー部を固定し、小さい角型の極柱を被覆絶縁するので、蓄電池を設置された施設において、蓄電池の非接続の角型の極柱に被せ付けて、非接続の角型の極柱の短絡、感電を防止することができ、しかも一つの角型極柱キャップを大きさの異なる大小の角型の極柱に共通に使用できることで、角型極柱キャップの角型の極柱への取り付けや管理を簡易にすることができ、さらに、この角型極柱キャップを２つ絶縁性及び伸縮性を有するコードで繋いでおくことにより、この２つの角型極柱キャップを利用して適切な角型の極柱間の接続を事前に示し、角型の極柱間の接続ミスを防止することができる、という本発明独自の格別な効果を奏する。
【図面の簡単な説明】
【０００９】
【図１】本発明の第１の実施の形態による角型極柱キャップの構成を示す図（（ａ）は平面図（ｂ）は一部断面正面図（ｃ）は底面図）
【図２】同角型極柱キャップの使用例を示す図
【図３】同角型極柱キャップに設けた一対のフック形状部に付属品のコードを脱着する状態を示す図
【図４】本発明の第２の実施の形態による角型極柱キャップの構成を示す図（斜視図）
【図５】同角型極柱キャップの構成を示す図（（ａ）は平面図（ｂ）は正面図（ｃ）は側面図（ｄ）は底面図）
【図６】同角型極柱キャップの使用例を示す図（（ａ）は角型極柱キャップを大きい極柱に被せた状態を示す断面図（ｂ）は角型極柱キャップを小さい極柱に被せた状態を示す断面図）
【図７】従来の蓄電池の接続状態として据置鉛蓄電池の構成を示す図
【図８】同据置鉛蓄電池の一部を拡大して示す図
【発明を実施するための形態】
【００１０】
次に、この発明を実施するための形態について図を用いて説明する。
図１に第１の実施の形態を示している。
図１に示すように、角型極柱キャップＣ１は、各種の蓄電池に設けられる角型の極柱に被覆して、角型の極柱を絶縁するもので、全体が、絶縁性及び機械的特性を有する素材により、角型の極柱の外形に沿って僅かに遊びをもって外嵌可能に、一端に開口２０を有し、内部に角型の中空部１２０を有するケース形状に形成されて、角型の極柱の先端面を被覆する先端面カバー部１と、角型の極柱の周囲を被覆する周囲カバー部２とを備え、周囲カバー部２の内面の任意の位置に一端の開口２０側から他端に向けて形成され、角型の極柱の周囲に圧接可能な線状の凸状部２１又は複数の点状の突起を有して構成される。
【００１１】
この角型極柱キャップＣ１は全体が絶縁性及び強度、耐摩耗性など機械的特性を有する色付きの素材により一体に形成される。この素材としては、ＰＰ（ポリプロピレン）が好適である。また、素材の色は、黒、青、赤以外の色が好ましい。一般的に、電気コードで言えば、赤はプラスの電極、黒又は青はマイナスの電極と認識されており、また、蓄電池の電極端子のプラスは赤、マイナスは黒と色分けされる場合があり、電極の極性とは関係がないことを示すためである。この場合、素材の色を黄色にしてある。なお、素材は不透明でも半透明でも透明でもよい。この場合は、不透明のものとした。
【００１２】
また、この角型極柱キャップＣ１の場合、全体が横断面（蓄電池の天面と平行な断面）が長方形の柱型の極柱の外形に沿って若干遊びをもって外嵌可能に、一端に長方形の開口２０を有し、内部に断面長方形の中空部１２０を有する断面長方形のケース形状に形成されて、断面長方形の柱型の極柱の長方形状の先端面を被覆する長方形状の先端面カバー部１と、断面長方形の柱型の極柱の長方形状の４側面を被覆する断面長方形状の周囲カバー部２とを備える。
また、周囲カバー部２の内面には周囲カバー部２の内面をなす４面の各面毎に線状の凸状部２１が１列ずつ又は２列ずつ設けられる。この場合、線状の凸状部２１は断面半円形の凸状に、周囲カバー部２の長辺方向の各側面部２０１の内面にその長辺方向中央を中心として対称的に２列、短辺方向の各側面部２０２の内面の短辺方向中央に１列、それぞれ周囲カバー部２の内面の開口２０側の一端から他端（先端面カバー部１の内面）まで形成される。
さらに、先端面カバー部１の内面には、この角型極柱キャップＣ１への角型の極柱の嵌め込み（挿入）量を規制するための線状の凸状部又は複数の点状の突起が併せて設けられる。この場合、先端面カバー部１の内面には、線状の凸状部１１が断面四角形の凸状に、先端面カバー部１の内面の両長辺間の中央で両短辺側の各端部に両長辺と平行に形成される。
【００１３】
また、先端面カバー部１には外面の中心に一対のフック形状部１２が相互の間にスリット１３を介して形成される。この場合、各フック形状部１２は、先端面カバー部１の中心から先端面カバー部１の両短辺方向に少し離間された両位置に略直角に立ち上げられ、先端面カバー部１の両長辺方向に延びる薄肉部１２１と、薄肉部１２１の上部に連続する厚肉部１２２と、厚肉部１２２の上部に連続し先端面カバー部１と略平行に先端面カバー部１の両短辺方向に張り出されるフランジ部１２３とからなる。各フック形状部１２の相互に対向する内側となる面は薄肉部１２１から厚肉部１２２にかけて断面略への字形のフラットな面に形成され、フランジ部１２３が先端面カバー部１に対して直角のフラットな面に形成される。反対の外側となる面は薄肉部１２１と厚肉部１２２が一体の断面略円弧状で厚肉部１２２が上方に向けて漸次幅広に形成され、フランジ部１２３は断面略円弧状に形成される。そしてフランジ部１２３の平面形状は略Ｄ字形に形成される。このような各フック形状部１２の形状から、スリット１３は一方の薄肉部１２１及び厚肉部１２２の断面略への字形の面と他方の薄肉部１２１及び厚肉部１２２の断面略への字形の面に挟まれた少し広い空間と、一方のフランジ部１２３と他方のフランジ部１２３との間の平行な面で挟まれた狭い空間とからなる。このようにして各フック形状部１２は外側となる面を内側となる面に向けて加圧することにより傾動され、相互に近接可能になっている。なお、この一対のフック形状部１２は後述するコード４の連結に用いられる。
【００１４】
さらに、周囲カバー部２の相互に対向する部分の外面にはそれぞれ凹凸形状部２２が設けられる。この場合、周囲カバー部２の短辺方向の各側面部２０２の外面にそれぞれ、高さの低い凸部２２１と深さの浅い凹部２２２が交互に設けられる。ここでは、各側面部２０２の上下両端にそれぞれ比較的大きい長方形状の凸部２２１が一つずつ、その中間に細長の長方形状の凸部２２１が２つ、各凸部２２１の間に同じ大きさの長方形状の凹部２２２が形成される。
【００１５】
またさらに、この角型極柱キャップＣ１には、付属部品として、２つの角型極柱キャップＣ１を連結するための絶縁性及び伸縮性を有するコード４が併せて設けられる。このコード４は、２つの角型極柱キャップＣ１を繋ぐことにより、導電板で電気的に接続される正極の極柱と負極の極柱を事前に示すもので、この場合、絶縁性素材（熱可塑性ポリウレタンなど）からなるコードをコイル状に巻いた伸縮式のコードになっており、このコード４の両端には角型極柱キャップＣ１の一対のフック形状部１２に係止可能なリング４０が設けられる。これらのリング４０はコイル状の部分４１の両端部にストレートの部分４２を介して先端面カバー部１の一対のフック形状部１２の周囲を一周する略円形に巻かれて形成され、コード４の各端末４ｅはこのリング４０により折り返されてストレートの部分４２に沿って接合される。このようにしてこれらのリング４０は先端面カバー部１の各フック形状部１２の薄肉部１２１及び厚肉部１２２の周囲に係止され、フランジ部１１１により抜け止めされるようになっている。また、この場合、コード４（の素材）の色は、角型極柱キャップＣ１と同様に、黄色とし、黒、青、赤以外の色にしてある。
【００１６】
このようにして角型極柱キャップＣ１は構成され、角型の極柱に先端面カバー部１及び周囲カバー部２を被せ、周囲カバー部２内面の線状の凸状部３を角型の極柱の周囲に圧接させて周囲カバー部２を固定し、角型の極柱を被覆絶縁するようになっている。
【００１７】
図２にこの角型極柱キャップＣ１の蓄電池Ｂの角型の極柱Ｔにおける使用例を示している。
この角型極柱キャップＣ１を蓄電池Ｂの角型の極柱Ｔに取り付ける場合、まず、角型極柱キャップＣ１を手で持つ。この場合、周囲カバー部２の両短辺方向の各側面部２０２を手の親指と人指し指又は中指で持つと、両短辺方向の各側面部２０２の凹凸形状部２２により滑りにくく持ちやすい。そして、角型極柱キャップＣ１を角型の極柱Ｔに上から被せ、極柱Ｔの周囲を周囲カバー２で被覆し、極柱Ｔの先端面を先端面カバー部１で被覆する。このとき、角型極柱キャップＣ１内の中空部１２０が角型の極柱Ｔよりも若干大きくなっていて、周囲カバー部２の内面の各線状の凸状部２１のみが角型の極柱Ｔの周囲に圧接し、僅かな抵抗となるだけなので、この角型極柱キャップＣ１を角型の極柱Ｔに容易に被せることができる。そして、この被覆状態は、周囲カバー２内で各線状の凸状部２１の角型の極柱Ｔの周囲への圧接により、固定される。なお、このとき、角型の極柱Ｔを角型極柱キャップＣ１内へ強く押し込んでも、角型極柱キャップＣ１の先端面カバー部１の内面に角型極柱キャップＣ１への極柱Ｔの嵌め込み量を規制する線状の凸状部１１が設けられているので、角型極柱キャップＣ１への極柱Ｔの嵌め込み量が規制され、極柱Ｔは先端面カバー部１１の内面までは達せず、極柱Ｔの先端面が先端面カバー部１の内面から所定の距離だけ離間される。これにより、角型の極柱Ｔからこの角型極柱キャップＣ１を取り外す際の作業を容易にすることができる。この角型極柱キャップＣ１は少し固い素材（ＰＰ）で形成されるため、開口２０側は広がりやすいが、閉塞側、つまり、先端面カバー部１側は広がりにくく、角型の極柱Ｔを角型極柱キャップＣ１に先端面カバー部１の内面まで押し入れてしまうと、取り外ししにくくなるところ、先端面カバー部１内面の線状の凸状部１１により、極柱Ｔの先端面が先端面カバー部１の内面から所定の距離だけ離間されるので、取り外しが容易になっている。
このようにして角型極柱キャップＣ１を蓄電池Ｂの角型の極柱Ｔに装着固定し、先端面カバー部１及び周囲カバー部２で角型の極柱Ｔを被覆絶縁する。
なお、角型極柱キャップＣ１は、既述のとおり、色付き（この場合、黄色）になっているので、非接続の各角型の極柱Ｔに取り付けられた角型極柱キャップＣ１は視認性に優れ、各極柱Ｔが角型極柱キャップＣ１により絶縁処理されたことを（ユーザーが）容易に確認できる。また、角型極柱キャップＣ１の色は黒、青、赤以外の色としてあることで、この角型極柱キャップＣ１の色によって角型の極柱Ｔ間の接続形式（言い換えれば、どの極柱Ｔとどの極柱Ｔを繋ぐか）について誤った認識を（ユーザーに）生じさせることがない。
【００１８】
また、図２に２つの角型極柱キャップＣ１を伸縮式のコード４で繋ぎ、これら２つの角型極柱キャップＣ１で非接続の角型の極柱Ｔを被覆絶縁した状態を併せて示している。
図２に示すように、非接続の各角型の極柱Ｔを角型極柱キャップＣ１で被覆絶縁する際に、各蓄電池間の適切な（電気的）接続となる一方の蓄電池Ｂの極柱（正極）Ｔと他方の蓄電池Ｂの極柱（負極）Ｔとを確認し、これらの極柱を伸縮式のコード４で繋がれた２つの角型極柱キャップＣ１、Ｃ１で被覆絶縁することにより、その後各蓄電池Ｂ、Ｂ間を電気的に接続する場合に、２つの角型極柱キャップＣ１、Ｃ１間の伸縮式のコード４により、適切な極柱Ｔ、Ｔ間の接続、つまり、どの極柱Ｔとどの極柱Ｔとを導電板で接続するかを視覚的に示すことができる。また、このコード４は伸縮式になっているので、各種の蓄電池Ｂ毎に各極柱Ｔ、Ｔ間の間隔（寸法）が異なっていても、このコード４の伸縮により、各極柱Ｔ、Ｔ間の間隔に対応することができる。さらに、このコード４は両端のリング４０が各角型極柱キャップＣ１の一対のフック形状部１２に係止されるので、コード４をこれら一対のフック形状部１２を中心に回すことができ、これにより、コード４の伸ばす方向が自由になり、各種の蓄電池Ｂ毎に各極柱Ｔの位置が異なっていても、コード４の回転方向の動きにより、各極柱Ｔの位置に対応することができる。
なお、伸縮式のコード４の色もまた、黒、青、赤以外の黄色としてあるので、このコード４の色によって極柱Ｔ間の接続形式（言い換えれば、どの極柱Ｔとどの極柱Ｔをどのように繋ぐか）について誤った認識を（ユーザーに）生じさせることがない。
また、このコード４の角型極柱キャップＣ１への取り付けでは、図３に示すように、コード４両端の各リング４０を先端面カバー部１の一対のフック形状部１２に掛けて、このリング４０で一方のフック形状部１２を他方のフック形状部１２に向けて引張ると、一方のフック形状部１２が他方のフック形状部１２に向けて傾動し、両者のフランジ部１２３が当接してフランジ部１２３の外径が縮径されるので、リング４０を一対のフック形状部１２に簡単に係止でき、コード４を角型極柱キャップＣ１に簡単に取り付けることができる。また反対に、このコード４の角型極柱キャップＣ１からの取り外しでも、このリング４０で一方のフック形状部１２を他方のフック形状部１２に向けて引張れば、一方のフック形状部１２が他方のフック形状部１２に向けて傾動し、両者のフランジ部１２３が当接してフランジ部１２３の外径が縮径されるので、リング４０を一対のフック形状部１２から簡単に外すことができ、コード４を角型極柱キャップＣ１から簡単に取り外すことができる。
【００１９】
以上説明したように、この角型極柱キャップＣ１は、全体が、絶縁性及び機械的特性を有する素材により、角型の極柱の外形に沿って僅かに遊びをもって外嵌可能に、一端に開口２０を有し、内部に角型の中空部１２０を有するケース形状に形成されて、先端面カバー部１と、周囲カバー部２とを備え、周囲カバー部２の内面の任意の位置に一端の開口２０側から他端に向けて形成され、角型の極柱の周囲に圧接可能な線状の凸状部２１を有し、角型の極柱に先端面カバー部１及び周囲カバー部２を被せ、周囲カバー部２内面の線状の凸状部２１を角型の極柱の周囲に圧接させて周囲カバー部２を固定し、角型の極柱を被覆絶縁するので、電池を設置された施設において、蓄電池の非接続の角型の極柱に被せ付けて、非接続の角型の極柱の短絡、感電を防止することができ、また、この角型極柱キャップＣ１を２つ絶縁性及び伸縮性を有するコード４で繋いでおくことにより、この２つの角型極柱キャップＣ１を利用して適切な極柱間の接続を事前に示し、角型の極柱間の接続ミスを防止することができる。
【００２０】
また、この角型極柱キャップＣ１は、さらに次のような格別な効果を奏する。
（１）素材は色付きとし、黒、青、赤以外の色としたので、この角型極柱キャップＣ１の色によって角型の極柱間の接続形式（言い換えれば、どの極柱とどの極柱を繋ぐか）について誤った認識を（ユーザーに）生じさせることがない。
（２）線状の凸状部２１は周囲カバー部２の内面をなす各面毎に１列ずつ又は２列ずつ設けられるので、角型極柱キャップＣ１の角型の極柱に対する取り付け、取り外しを容易に行え、この角型極柱キャップＣ１の固定手段として十分に機能させることができる。
（３）周囲カバー部２の相互に対向する部分の外面にそれぞれ、凹凸形状部２２が設けられ、角型極柱キャップＣ１を蓄電池の角型の極柱に取り付ける場合又は極柱から取り外す場合に、指先で持ちやすく滑りにくくなっているので、角型極柱キャップＣの取り付けや取り外しの作業を容易に行うことができる。
（４）先端面カバー部１の外面の中心に、一対のフック形状部１２が相互の間にスリット１３を介して形成され、各フック形状部１２に、両端に当該各フック形状部１２に係止可能なリング４０を有し、２つの角型極柱キャップＣ１を連結するための絶縁性及び伸縮性を有するコード４が取り付けられるので、リング４０を一対のフック形状部１２に掛け、このリング４０で一方のフック形状部１２を他方のフック形状部１２に向けて引張ることにより、一方のフック形状部１２が他方のフック形状部１２に向けて傾動し、両者のフランジ部１２３が当接してフランジ部１２３の外径が縮径されて、リング４０を一対のフック形状部１２に簡単に係止でき、コード４を角型極柱キャップＣ１に簡単に取り付けることができ、また同様の動作で、リング４０を一対のフック形状部１２から簡単に外すことができ、コード４を角型極柱キャップＣ１から簡単に取り外すことができる。そして、非接続の各角型の極柱を角型極柱キャップＣ１で被覆絶縁する際に、各蓄電池間の適切な（電気的）接続となる一方の蓄電池の極柱（正極）と他方の蓄電池の極柱（負極）とを確認し、これらの極柱を伸縮式のコード４で繋がれた２つの角型極柱キャップＣ１で被覆絶縁することにより、その後各蓄電池間を電気的に接続する場合に、２つの角型極柱キャップＣ１間の伸縮式のコード４により、適切な極柱間の接続、つまり、どの極柱とどの極柱とを導電板で接続するかを視覚的に示すことができる。
【００２１】
図４、図５に第２の実施の形態を示している。
図４、図５に示すように、角型極柱キャップＣ２は、各種の蓄電池に設けられる大きさの異なる大小の角型の極柱に被覆して、角型の極柱を絶縁するもので、全体が、絶縁性及び機械的特性を有する素材により、大きさの異なる大小の角型の極柱のうち、大きい角型の極柱の外形に沿って僅かに遊びをもって外嵌可能に、一端に大きい開口ｂ２０を有し、内部に大きい角型の中空部ｂ１２０を有する大きいケース形状と、この大きいケース形状に対して交差して、大きさの異なる大小の角型の極柱のうち、小さい角型の極柱の外形に沿って僅かに遊びをもって外嵌可能に、一端に小さい開口ｓ２０を有し、内部に小さい角型の中空部ｓ１２０を有する小さいケース形状の複合形状に形成されて、大きい角型の極柱の先端面と小さい角型の極柱の先端面とを各別に被覆する大きい先端面カバー部ｂ１と小さい先端面カバー部ｓ１とからなる複合形状の先端面カバー部Ａ１と、大きい角型の極柱の周囲と小さい角型の極柱の周囲とを各別に被覆する大きい周囲カバー部ｂ２と小さい周囲カバー部ｓ２とからなる複合形状の周囲カバー部Ａ２とを備え、複合形状の周囲カバー部Ａ２の少なくとも大きい周囲カバー部ｂ２と小さい周囲カバー部ｓ２との交差部の内面角部に一端の開口ｂ２０、ｓ２０側から他端に向けて形成され、角型の極柱の周囲に圧接可能な線状の凸状部ｂｓ２１又は複数の点状の突起を有して構成される。
【００２２】
この角型極柱キャップＣ２は、第１の実施の形態と同様に、全体が絶縁性及び強度、耐摩耗性など機械的特性を有する色付きの素材により一体に形成される。この素材としては、ＰＰ（ポリプロピレン）が好適である。また、素材の色は、黒、青、赤以外の色が好ましい。一般的に、電気コードで言えば、赤はプラスの電極、黒又は青はマイナスの電極と認識されており、また、蓄電池の電極端子のプラスは赤、マイナスは黒と色分けされる場合があり、電極の極性とは関係がないことを示すためである。この場合、素材の色は黄色としてある。
【００２３】
また、この角型極柱キャップＣ２の場合、大きいケース形状、小さいケース形状は大きさが異なるのみで、共に、全体が横断面（蓄電池の天面と平行な断面）が長方形の柱型の極柱の外形に沿って若干遊びをもって外嵌可能に、一端に長方形の開口ｂ２０、ｓ２０を有し、内部に断面長方形の中空部ｂ１２０、ｓ１２０を有する断面長方形のケース状に形成されて、断面長方形の柱型の極柱の長方形状の先端面を被覆する長方形状の先端面カバー部ｂ１、ｓ１と、断面長方形の柱型の極柱の長方形状の４側面を被覆する断面長方形状の周囲カバー部ｂ２、ｓ２とを備え、大きいケース形状と小さいケース形状が略十字形に交差され、大きいケース形状と小さいケース形状の大小の開口ｂ２０、ｓ２０及び大小の中空部ｂ１２０、ｓ１２０が略十字形に交差される。
また、複合形状の周囲カバー部Ａ２の大きい周囲カバー部ｂ２と小さい周囲カバー部ｓ２との交差部の４つの内面角部には線状の凸状部ｂｓ２１が設けられる。この場合、各線状の凸状部ｂｓ２１は複合形状の周囲カバー部Ａ２の４つの内面角部に沿って開口ｂ２０、ｓ２０側の一端から他端（複合形状の先端面カバー部Ａ１の内面）まで複合形状の周囲カバー部Ａ２の中心軸に向けて断面半円形の凸状に形成される。
さらに、この角型極柱キャップＣ２にあっては、線状の凸状部ｂｓ２１が複合形状の周囲カバー部Ａ２の内面をなす１２面のうちの一部又は全部の面に１列又は２列ずつ設けられる。この場合、線状の凸状部ｂｓ２１は断面半円形の凸状に、大きい周囲カバー部ｂ２、小さい周囲カバー部ｓ２の短辺方向の各側面部ｂ２０２、ｓ２０２の内面の短辺方向中央に１列ずつ、各周囲カバー部ｂ２、ｓ２の内面の開口ｂ２０、ｓ２０側の一端から他端（複合形状の先端面カバー部Ａ１の内面）まで形成される。
なお、この角型極柱キャップＣ２の場合も、大きい先端面カバー部ｂ１、小さい先端面カバー部ｓ１の各内面に、この角型極柱キャップＣ２への角型の極柱の嵌め込み（挿入）量を規制するための線状の凸状部（又は複数の点状の突起）が設けられてもよい。
【００２４】
また、この角型極柱キャップＣ２の場合も、複合形状の先端面カバー部Ａ１の外面の中心に一対のフック形状部ｂｓ１２が相互の間にスリットｂｓ１３を介して形成される。この場合、各フック形状部ｂｓ１２は、複合形状の先端面カバー部Ａ１の中心から大きい先端面カバー部ｂ１の両短辺方向に少し離間された両位置に略直角に立ち上げられ、大きい先端面カバー部ｂ１の両長辺方向に延びる薄肉部ｂｓ１２１と、薄肉部ｂｓ１２１の上部に連続する厚肉部ｂｓ１２２と、厚肉部ｂｓ１２２の上部に連続し大きい先端面カバー部ｂ１と略平行に大きい先端面カバー部ｂ１の両短辺方向に張り出されるフランジ部ｂｓ１２３とからなる。各フック形状部ｂｓ１２の相互に対向する内側となる面は薄肉部ｂｓ１２１から厚肉部ｂｓ１２２にかけて断面略への字形のフラットな面に形成され、フランジ部ｂｓ１２３が大きい先端面カバー部ｂ１に対して直角のフラットな面に形成される。反対の外側となる面は薄肉部ｂｓ１２１と厚肉部ｂｓ１２２が一体の断面略円弧状で厚肉部ｂｓ１２２が上方に向けて漸次幅広に形成され、フランジ部ｂｓ１２３は断面略円弧状に形成される。そしてフランジ部ｂｓ１２３の平面形状は略Ｄ字形に形成される。このような各フック形状部ｂｓ１２の形状から、スリットｂｓ１３は一方の薄肉部ｂｓ１２１及び厚肉部ｂｓ１２２の断面略への字形の面と他方の薄肉部ｂｓ１２１及び厚肉部ｂｓ１２２の断面略への字形の面の間に挟まれた少し広い空間と、一方のフランジ部ｂｓ１２３と他方のフランジ部ｂｓ１２３の平行な面の間に挟まれた狭い空間とからなる。このようにして各フック形状部ｂｓ１２は外側となる面を内側となる面に向けて加圧することにより傾動され、相互に近接可能になっている。なお、この一対のフック形状部ｂｓ１２は前述したコード４の連結に用いられる。
【００２５】
なお、この角型極柱キャップＣ２においても、大きい周囲カバー部ｂ２及び／又は小さい周囲カバー部ｓ２の相互に対向する部分の外面にそれぞれ凹凸形状部が設けられてもよい。この場合、大きい周囲カバー部ｂ２及び／又は小さい周囲カバー部ｓ２の短辺方向の各側面部ｂ２０２、ｓ２０２の外面にそれぞれ、高さの低い凸部と深さの浅い凹部が交互に設けられる。
【００２６】
さらに、この角型極柱キャップＣ２にも、付属部品として、２つの角型極柱キャップＣ２を連結するための絶縁性及び伸縮性を有するコード４が併せて設けられる。このコード４は、既述のとおり（図１参照）、２つの角型極柱キャップＣ２を繋ぐことにより、導電板で電気的に接続される正極の極柱と負極の極柱を事前に示すもので、この場合、絶縁性素材（熱可塑性ポリウレタンなど）からなるコードをコイル状に巻いた伸縮式のコードになっており、このコード４の両端には角型極柱キャップＣ２の一対のフック形状部ｂｓ１２に係止可能なリング４０が設けられる。これらのリング４０はコイル状の部分４１の両端部にストレートの部分４２を介して一対のフック形状部ｂｓ１２の薄肉部ｂｓ１２１及び厚肉部ｂｓ１２２の周囲を一周する略円形に巻かれて形成され、コード４の各端末４ｅはこのリング４０により折り返されてストレートの部分４２に沿って接合される。このようにしてこれらのリング４０は複合形状の先端面カバー部Ａ１の各フック形状部ｂｓ１２の薄肉部ｂｓ１２１及び厚肉部ｂｓ１２２の周囲に係止され、フランジ部ｂｓ１２３により抜け止めされるようになっている。また、この場合、コード４（の素材）の色は、角型極柱キャップＣ２と同様に、黄色とし、黒、青、赤以外の色にしてある。
【００２７】
このようにして角型極柱キャップＣ２は構成され、複合形状の先端面カバー部Ａ１及び周囲カバーＡ２が選択的に使用され、大きい角型の極柱に対しては大きい先端面カバー部ｂ１及び大きい周囲カバー部ｂ２を被せ、複合形状の周囲カバー部Ａ２内面の各線状の凸状部ｂｓ２１を大きい角型の極柱の周囲に圧接させて大きい周囲カバー部ｂ２を固定し、大きい角型の極柱を被覆絶縁し、小さい角型の極柱に対しては小さい先端面カバー部ｓ１及び小さい周囲カバー部ｓ２を被せ、複合形状の周囲カバー部Ａ２内面の各線状の凸状部ｂｓ２１を小さい角型の極柱の周囲に圧接させて小さい周囲カバー部ｓ２を固定し、小さい角型の極柱を被覆絶縁するようになっている。
【００２８】
図６にこの角型極柱キャップＣ２の蓄電池Ｂ１、Ｂ２の各角型の極柱Ｔ１、Ｔ２における使用例を示している。
この角型極柱キャップＣ２を蓄電池Ｂ１の大きい角型の極柱Ｔ１に取り付ける場合、まず、角型極柱キャップＣ２を手に持つ。そして、図６（ａ）に示すように、この角型極柱キャップＣ２の大きい先端面カバー部ｂ１（図示省略）及び大きい周囲カバー部ｂ２を大きい角型の極柱Ｔ１に上から被せ、大きい極柱Ｔ１の周囲を大きい周囲カバーｂ２で被覆し、大きい極柱の先端面を大きい先端面カバー部ｂ１（図示省略）で被覆する。このとき、角型極柱キャップＣ２内の大きい中空部ｂ１２０が大きい角型の極柱Ｔ１よりも若干大きくなっていて、大きい周囲カバー部ｂ２の内面の各線状の凸状部ｂｓ２１のみが角型の極柱の周囲に圧接し、僅かな抵抗となるだけなので、この角型極柱キャップＣ２を大きい角型の極柱Ｔ１に容易に被せることができる。そして、この被覆状態は、大きい周囲カバー部ｂ２内で各線状の凸状部ｂｓ２１の角型の極柱の周囲への圧接により、固定される。
このようにして角型極柱キャップＣ２を蓄電池Ｂ１の大きい角型の極柱Ｔ１に装着固定し、大きい先端面カバー部ｂ１及び大きい周囲カバー部ｂ２で角型の極柱Ｔ１を被覆絶縁する。
また、この角型極柱キャップＣ２を蓄電池Ｂ２の小さい角型の極柱Ｔ２に取り付ける場合も同様で、まず、角型極柱キャップＣ２を手に持ち、図６（ｂ）に示すように、この角型極柱キャップＣ２の小さい先端面カバー部ｓ１（図示省略）及び小さい周囲カバー部ｓ２を小さい角型の極柱Ｔ２に上から被せ、小さい極柱Ｔ２の周囲を小さい周囲カバーｓ２で被覆し、小さい極柱の先端面を小さい先端面カバー部ｓ１（図示省略）で被覆する。このとき、角型極柱キャップＣ２内の小さい中空部ｓ１２０が小さい角型の極柱Ｔ２よりも若干大きくなっていて、小さい周囲カバー部ｓ２の内面の各線状の凸状部ｂｓ２１のみが角型の極柱Ｔ２の周囲に圧接し、僅かな抵抗となるだけなので、この角型極柱キャップＣ２を小さい角型の極柱Ｔ２に容易に被せることができる。そして、この被覆状態は、小さい周囲カバー部ｓ２内で各線状の凸状部ｂｓ２１の角型の極柱Ｔ２の周囲への圧接により、固定される。
角型極柱キャップＣ２は、既述のとおり、色付き（この場合、黄色）になっているので、非接続の各角型の極柱Ｔ１、Ｔ２に取り付けられた角型極柱キャップＣ２は視認性に優れ、各極柱Ｔ１、Ｔ２が角型極柱キャップＣ２により絶縁処理されたことを（ユーザーが）容易に確認できる。また、角型極柱キャップＣ２の色は黒、青、赤以外の色としてあることで、この角型極柱キャップＣ２の色によって角型の極柱Ｔ１間、Ｔ２間の接続形式（言い換えれば、どの極柱Ｔ１、Ｔ２とどの極柱Ｔ１、Ｔ２を繋ぐか）について誤った認識を（ユーザーに）生じさせることがない。
【００２９】
そして、ここでは特に図示していないが、非接続の各角型の極柱を角型極柱キャップＣ２で被覆絶縁する際に、各蓄電池間の適切な（電気的）接続となる一方の蓄電池の極柱（正極）と他方の蓄電池の極柱（負極）とを確認し、これらの極柱を伸縮式のコード４で繋がれた２つの角型極柱キャップＣ２、Ｃ２で被覆絶縁することにより、その後各蓄電池間を電気的に接続する場合に、２つの角型極柱キャップＣ２、Ｃ２間の伸縮式のコード４により、適切な極柱間の接続、つまり、どの極柱とどの極柱とを導電板で接続するかを視覚的に示すことができる。また、このコード４は伸縮式になっているので、各種の蓄電池毎に各極柱間の間隔（寸法）が異なっていても、このコード４の伸縮により、各極柱間の間隔に対応することができる。さらに、このコード４は両端のリング４０が各複合形状の先端面カバー部Ａ１の一対のフック形状部ｂｓ１２に係止されるので、コード４をこの極柱を中心に回すことができ、これにより、コード４の伸ばす方向が自由になり、各種の蓄電池毎に各極柱の位置が異なっていても、コード４の回転方向の動きにより、各極柱の位置に対応することができる。
なお、伸縮式のコード４の色もまた、黒、青、赤以外の黄色としてあるので、このコード４の色によって極柱間の接続形式（言い換えれば、どの極柱とどの極柱をどのように繋ぐか）について誤った認識を（ユーザーに）生じさせることがない。
さらに、このコード４の角型極柱キャップＣ２への取り付けでは、コード４両端の各リング４０を複合形状の先端面カバー部Ａ１の一対のフック形状部ｂｓ１２に掛けて、このリング４０で一方のフック形状部ｂｓ１２を他方のフック形状部ｂｓ１２に向けて引張ると、一方のフック形状部ｂｓ１２が他方のフック形状部ｂｓ１２に向けて傾動し、両者のフランジ部ｂｓ１２３が当接してフランジ部ｂｓ１２３の外径が縮径されるので、リング４０を一対のフック形状部ｂｓ１２に簡単に係止でき、コード４を角型極柱キャップＣ２に簡単に取り付けることができる。また反対に、このコード４を角型極柱キャップＣ２から取り外す場合も、このリング４０で一方のフック形状部ｂｓ１２を他方のフック形状部ｂｓ１２に向けて引張れば、一方のフック形状部ｂｓ１２が他方のフック形状部ｂｓ１２に向けて傾動し、両者のフランジ部ｂｓ１２３が当接してフランジ部ｂｓ１２３の外径が縮径されるので、リング４０を一対のフック形状部ｂｓ１２から簡単に外すことができ、コード４を角型極柱キャップＣ２から簡単に取り外すことができる。
【００３０】
以上説明したように、この角型極柱キャップＣ２は、全体が、絶縁性及び機械的特性を有する素材により、大きさの異なる大小の角型の極柱のうち、大きい角型の極柱の外形に沿って僅かに遊びをもって外嵌可能に、一端に大きい開口ｂ２０を有し、内部に大きい角型の中空部ｂ１２０を有する大きいケース形状と、この大きいケース形状に対して交差して、大きさの異なる大小の角型の極柱のうち、小さい角型の極柱の外形に沿って僅かに遊びをもって外嵌可能に、一端に小さい開口ｓ２０を有し、内部に小さい角型の中空部ｓ１２０を有する小さいケース形状の複合形状に形成されて、大きい先端面カバー部ｂ１と小さい先端面カバー部ｓ１とからなる複合形状の先端面カバー部Ａ１と、大きい周囲カバー部ｂ２と小さい周囲カバー部ｓ２とからなる複合形状の周囲カバー部Ａ２とを備え、複合形状の周囲カバー部Ａ２の少なくとも大きい周囲カバー部ｂ２と小さい周囲カバー部ｓ２との交差部の内面角部に一端の開口ｂ２０、ｓ２０側から他端に向けて形成され、角型の極柱の周囲に圧接可能な線状の凸状部ｂｓ２１を有し、複合形状の先端面カバー部Ａ１及び周囲カバー部Ａ２が選択的に使用され、大きい角型の極柱に対しては大きい先端面カバー部ｂ１及び大きい周囲カバー部ｂ２を被せ、複合形状の周囲カバー部Ａ２内面の線状の凸状部ｂｓ２１を大きい角型の極柱の周囲に圧接させて大きい周囲カバー部ｂ２を固定し、大きい角型の極柱を被覆絶縁し、小さい角型の極柱に対しては小さい先端面カバー部ｓ１及び小さい周囲カバー部ｓ２に被せ、複合形状の周囲カバー部Ａ２内面の線状の凸状部ｂｓ２１を小さい角型の極柱の周囲に圧接させて小さい周囲カバー部ｓ２を固定し、小さい角型の極柱を被覆絶縁するので、蓄電池を設置された施設において、蓄電池の非接続の角型の極柱に被せ付けて、非接続の角型の極柱の短絡、感電を防止することができ、しかも一つの角型極柱キャップＣ２を大きさの異なる大小の角型の極柱に共通に使用できることで、角型極柱キャップＣ２の角型の極柱への取り付けや管理を簡易にすることができ、さらに、この角型極柱キャップＣ２を２つ絶縁性及び伸縮性を有するコード４で繋いでおくことにより、この２つの角型極柱キャップＣ２を利用して適切な角型の極柱間の接続を事前に示し、角型の極柱間の接続ミスを防止することができる。
【００３１】
また、この角型極柱キャップＣ２は、さらに次のような格別な効果を奏する。
（１）素材は色付きとし、黒、青、赤以外の色としたので、この角型極柱キャップＣ２の色によって角型の極柱間の接続形式（言い換えれば、どの極柱とどの極柱を繋ぐか）について誤った認識を（ユーザーに）生じさせることがない。
（２）線状の凸状部ｂｓ２１がさらに複合形状の周囲カバー部Ａ２の内面をなす１２面の一部又は全部に１列又は２列ずつ設けられるので、角型極柱キャップＣ２の角型の極柱に対する取り付け、取り外しを容易に行え、この角型極柱キャップＣ２の固定手段として十分に機能させることができる。
（３）複合形状の周囲カバー部Ａ２の相互に対向する部分の外面にそれぞれ、凹凸形状部を設けることで、角型極柱キャップＣ２を蓄電池の角型の極柱に取り付ける場合又は極柱から取り外す場合に、指先で持ちやすく滑りにくくなり、角型極柱キャップＣ２の極柱に対する取り付けや取り外しを容易に行うことができる。
（４）複合形状の先端面カバー部Ａ１の外面の中心に、一対のフック形状部ｂｓ１２が相互の間にスリットｂｓ１３を介して形成され、各フック形状部ｂｓ１２に、両端に当該各フック形状部ｂｓ１２に係止可能なリング４０を有し、２つの角型極柱キャップＣ２を連結するための絶縁性及び伸縮性を有するコード４が取り付けられるようにしたので、リング４０を一対のフック形状部ｂｓ１２に掛け、このリング４０で一方のフック形状部ｂｓ１２を他方のフック形状部ｂｓ１２に向けて引張れば、一方のフック形状部ｂｓ１２が他方のフック形状部ｂｓ１２に向けて傾動し、両者のフランジ部ｂｓ１２３が当接してフランジ部ｂｓ１２３の外径が縮径されて、リング４０を一対のフック形状部ｂｓ１２に簡単に係止でき、コード４を角型極柱キャップＣ２に簡単に取り付けることができ、また同様の動作で、リング４０を一対のフック形状部ｂｓ１２から簡単に外すことができ、コード４を角型極柱キャップＣ２から簡単に取り外すことができる。そして、非接続の各角型の極柱を角型極柱キャップＣ２で被覆絶縁する際に、各蓄電池間の適切な（電気的）接続となる一方の蓄電池の極柱（正極）と他方の蓄電池の極柱（負極）とを確認し、これらの極柱を伸縮式のコード４で繋がれた２つの角型極柱キャップＣ２で被覆絶縁することにより、その後各蓄電池間を電気的に接続する場合に、２つの角型極柱キャップＣ２間の伸縮式のコード４により、適切な極柱間の接続、つまり、どの極柱とどの極柱とを導電板で接続するかを視覚的に示すことができる。
【００３２】
なお、上記各実施の形態では、周囲カバー部の内面に線状の凸状部が設けられるものとしたが、線状の凸部に代えて、複数の点状の突起が設けられてもよく、このようにしても上記各実施の形態と同様の作用効果を奏することができる。
また、上記各実施の形態では、周囲カバー部の内面に線状の凸状部又は複数の点状の突起が設けられるものとしたが、この角型極柱キャップが複数の層構造として構成され、内側の層に線状の突状部又は複数の点状の凸起が設けられて、内側の層と外側の層が接合されるようにしてもよい。このようにしても上記各実施の形態と同様の作用効果を奏することができる。
【符号の説明】
【００３３】
Ｃ１  角型極柱キャップ
１  先端面カバー部
１１  線状の凸状部
１２  フック形状部
１２０  中空部
１２１  薄肉部
１２２  厚肉部
１２３  フランジ部
１３  スリット
２  周囲カバー部
２０  開口
２１  線状の凸状部
２２  凹凸形状部
２２１  凸部
２２２  凹部
２０１  長辺方向の側面部
２０２  短辺方向の側面部
４  コード（伸縮式のコード）
４０  リング
４１  コイル状の部分
４２  ストレートの部分
４ｅ  端末
Ｃ２  角型極柱キャップ
Ａ１  複合形状の先端面カバー部
Ａ２  複合形状の周囲カバー部
ｂ１  大きい先端面カバー部
ｂｓ１２  フック形状部
ｂ１２０  中空部
ｂ１２１  薄肉部
ｂ１２２  厚肉部
ｂ１２３  フランジ部
ｂｓ１３  スリット
ｂ２  大きい周囲カバー部
ｂ２０  開口
ｂｓ２１  線状の凸状部
ｂ２０１  長辺方向の側面部
ｂ２０２  短辺方向の側面部
ｓ１  小さい先端面カバー部
ｓ１２０  中空部
ｓ１２１  薄肉部
ｓ１２２  厚肉部
ｓ１２３  フランジ部
ｓ２  小さい周囲カバー部
ｓ２０  開口
ｓ２１  線状の凸状部
ｓ２０１  長辺方向の側面部
ｓ２０２  短辺方向の側面部
Ｂ、Ｂ１、Ｂ２  蓄電池
Ｔ、Ｔ１、Ｔ２  角型の極柱
【図１】
2020035570.tif 000003
【図２】
2020035570.tif 000004
【図３】
2020035570.tif 000005
【図４】
2020035570.tif 000006
【図５】
2020035570.tif 000007
【図６】
2020035570.tif 000008
【図７】
2020035570.tif 000009
【図８】
2020035570.tif 000010